(57)【要約】      （修正有）【課題】全車両又歩行者の目に付き事故を防ぐことを可能にするランドセルを提供する。【解決手段】複数のＬＥＤを一直線状に配置した多点ＬＥＤ６１を一体式ランドセル蓋３１とセパレート式ランドセル蓋の表側に埋め込み、一体式ランドセル蓋３１とセパレート式ランドセル蓋の裏側にボタン電池９とスイッチ８を埋め込み、登下校時、スイッチをＯＮすることにより、多点ＬＥＤ６１を点灯する。【選択図】図１
0003166140.tif 000002
【実用新案登録請求の範囲】
【請求項１】
複数のＬＥＤを横長に一直線状に配置した多点ＬＥＤ６１を、ランドセル１のランドセル蓋３に表側から見えるように埋め込み、ランドセル蓋３に裏側からボタン電池９と、その電源をオンオフするスイッチ８を埋め込み、小学生の登下校時、スイッチをオンし、多点ＬＥＤ６１を点灯することにより、全車両又歩行者の目に付き、事故を防ぐようにしたことを特徴とするランドセル。
【請求項２】
前記多点ＬＥＤ６１を厚み０．３ｍｍの軟質プラスチックを袋状にした防水シートの中に入れ、一体式ランドセル蓋３１に埋め込み縫い合わせたこと特徴とする請求項１に記載のランドセル
【請求項３】
ランドセル１の右ベルト５１又は左ベルト５２に、一個のＬＥＤによる一点式ＬＥＤ６２を取り付けたことを特徴とするランドセル
【請求項４】
脱着用凹型ボタン４２をセパレート式ランドセル本体２２に、脱着凸型ボタン４１をセパレート式ランドセル蓋３２に取り付け、セパレート式ランドセル蓋３２とセパレート式ランドセル本体２２とを脱着可能とし、セパレート式ランドセルの蓋３２には、表側から複数のＬＥＤを模様になるようにデザインして配置して多点ＬＥＤ６１を埋め込み、裏側からボタン電池９を取り外しができ、スイッチ８のオンオフができるようにボタン電池９とスイッチ８を埋め込み、セパレート式ランドセル蓋３２を取り替えることにより、複数のＬＥＤの模様のデザインを選択できるようにしたことを特徴とするランドセル。
【考案の詳細な説明】
【技術分野】
【０００１】本発明は、小学生達が、車両又は歩行者からの交通事故からの被害を防ぎ、且つファッション性に優れたデザインを施した物との付け替え可能なランドセルに関する。
【背景技術】
【０００２】従来は、小学生にＧＰＳ機能を有する携帯電話を持たせるなどの安全対策があるが、交通事故に対応できない。殊に、小学生、特に低学年の子供は、登下校時落ち着きがなく、うろうろする傾向がみられ、交通安全対策が要求される。
集団登校時に他各種の交通安全の方法も取られている。
【先行技術文献】
【特許文献】
【０００３】
【特許文献１】  特開２００８−６２３３公報
【考案の概要】
【考案が解決しようとする課題】
【０００４】１）以前より自転車・バイク・車による接触事故が多発しており、その防止の為、低学年のランドセルには反射板付きカバーを付けるようになっているが、それだけでは自転車・バイク・車のドライバーの目を引くのは難しい。
２）ランドセルを背負って通学する小学生、特に低学年の子供の登下校時での交通安全を確保できる簡易なツールがない。
３）最近では、塾に通う小学生も増えており、冬は特に日が落ちるのが早く、暗い中帰って行く姿を見ることが多々ある。夜の安全な歩行を確保できる簡易なツールがない。
４）ＬＥＤを取り外し式にすると、盗難や落として壊れることもある。
【課題を解決するための手段】
【０００５】複数のＬＥＤを横長に一直線状に配置した多点ＬＥＤ６１を、ランドセル１のランドセル蓋３に表側から見えるように埋め込み、ランドセル蓋３に裏側からボタン電池９と、その電源をオンオフするスイッチ８を埋め込み、小学生の登下校時、スイッチをオンし、多点ＬＥＤ６１を点灯することにより、全車両又歩行者の目に付き、事故を防ぐようにしたことを特徴とするランドセル。【０００６】前記多点ＬＥＤ６１を厚み０．３ｍｍの軟質プラスチックを袋状にした防水シートの中に入れ、一体式ランドセル蓋３１に埋め込み縫い合わせたこと特徴とする請求項１に記載のランドセルである。【０００７】ランドセル１の右ベルト５１又は左ベルト５２に、一個のＬＥＤによる一点式ＬＥＤ６２を取り付けたことを特徴とするランドセルである。【０００８】脱着用凹型ボタン４２をセパレート式ランドセル本体２２に、脱着用凸型ボタン４１をセパレート式ランドセル蓋３２に取り付け、セパレート式ランドセル蓋３２とセパレート式ランドセル本体２２とを脱着可能とし、セパレート式ランドセルの蓋３２には、表側から複数のＬＥＤを模様になるようなデザインを配置して多点ＬＥＤ６１を埋め込み、裏側からボタン電池９を取り外しができ、スイッチ８のオンオフができるようにボタン電池９とスイッチ８を埋め込み、セパレート式ランドセル蓋３２を取り替えることにより、複数のＬＥＤの模様のデザインを選択できるようにしたことを特徴とするランドセルである。
【考案の効果】
【０００９】１）本発明はランドセルに複数のＬＥＤを横長に一直線状に配置した多点ＬＥＤ６１を組み込んでいるので、外部から見やすく子供に対する犯罪や事故等を防げる。
２）複数のＬＥＤを一直線状に横長に配置した多点ＬＥＤ６１以外に、複数のＬＥＤを花模様など種々の模様になるように配置し、デザインした多点ＬＥＤ６１のセパレート式ランドセルの蓋３２を複数種類用意し、その中から好みのデザインのセパレート式ランドセルの蓋３２を選択し、自由に交換できるのでファション性にも優れる。又、セパレート式ランドセルの蓋３２の取り外し可能な機能を最大限に利用出来る。例えば、夏休み前・冬休み前に背の高い物を入れるのに、ランドセルの蓋が邪魔になる。しかし、取り外しが出来ると、どんな背の高い物も入れる事が出来る。又多点式ＬＥＤ６１と一点式ＬＥＤ６２に関しては、単品で回路の組み換えにより点滅も可能で、ボタン電池９の消耗も防げる。
３）周りに迷惑をかけることなく横一列に並んだ赤又は白の多点式ＬＥＤ６１の光が、瞬時にドライバーに気付かせることが出来、ファッション性に優れ安価で作成出来る。又、中学年・高学年にはセパレート式ランドセルの蓋３２にあらゆるデザインを施し、セパレート式ランドセル本体２２とセパレート式ランドセル蓋３２を取り替えできる。
【図面の簡単な説明】
【００１０】
【図１】本発明の一体式ランドセルの構成  （ａ）蓋を閉じた状態  （ｂ）蓋を開いた状態
【図２】本発明のセパレート式ランドセルの蓋の構成  （ａ）外から見た図  （ｂ）内側から見た図である
【図３】本発明のホットスタンプ等の印をつけたセパレート式ランドセルの構成  （ａ）セパレート式ランドセルの蓋  （ｂ）ベルト部にＬＥＤを設けたセパレート式ランドセル本体
【図４】本発明のランドセルのベルトにＬＥＤを設けた一体式ランドセルの構成  （ａ）一体式ランドセルの構成  （ｂ）ランドセルの蓋の裏面のボタン電池の収容構成
【考案を実施するための形態】
【００１１】ＬＥＤをランドセルから取り外し式にすると、盗難や落として壊れることもある。ＬＥＤとランドセルとを一体化にすることにより、そのような心配もなく、ドライバーや歩行者から後ろからも前からも目に付くことにした。又、ランドセルの蓋を付け替え可能にすることにより複数のＬＥＤを花模様など種々の模様になるように配置し、デザインした多点ＬＥＤ６１のセパレート式ランドセルの蓋３２を複数種類用意し、その中から好みのデザインのセパレート式ランドセルの蓋３２を選択し、自由に交換できるのでファション性にも優れ、独自のファッションを楽しむことが出来るようにした。
【００１２】ランドセルの蓋の表にＬＥＤを１点灯（一個）としただけでは効果が弱く、大きすぎると電池の消耗もはやくなる。複数のＬＥＤを横長に一直線状に配置することにより、厚みのないボタン電池で済み、ランドセルの蓋への埋め込みが容易になり、又ボタン電池の交換も容易にできる。現在のランドセルの蓋の厚みを替えることなく、埋め込み、遠く離れた所からも目に付き、危険からも身を守ることが出来る。ＬＥＤ又その他の加工（シルク印刷・ホットスタンプ・超音波加工）による印、特にＬＥＤの場合、ランドセルの蓋の下部が最も後方からの人の目に優しく、目に付く場所と考え、取り付け加工も容易に出来る。
【００１３】本発明の一体式ランドセルの構成を図１に示す。（ａ）は蓋を閉じた状態、（ｂ）は蓋を開いた状態である。
従来ある一体式ランドセル蓋３１表面に、複数のＬＥＤを横長に一直線状に配置した多点ＬＥＤ６１を蓋に埋め込んでいる。多点ＬＥＤ６１を厚み０．３ｍｍの軟質プラスチックを袋状にした防水シート７の中に入れ、一体式ランドセル蓋３１に埋め込み縫い合わせている。
【００１４】裏面に３ボルトのボタン電池９を２個、直径２０ｍｍ×厚み２．５ｍｍの薄型電池ケースにセットしており、薄型スイッチと共にサイズが５５ｍｍ×４０ｍｍ×厚み１．６ｍｍの基板に半田付けにより固定している。ボタン電池９は入れ替えが可能になっており、多点ＬＥＤ６１とスイッチ８とボタン電池９は直径１．５ｍｍの電線２本で配線され、一体式ランドセル蓋３１の内部に裏面から埋め込んでいる。これも防水シート７により、防水保護して縫い合わしている。
【００１５】本発明のセパレート式ランドセル蓋３２の構成を図２に示す。（ａ）は外から見た図、（ｂ）は内側から見た図である。
図２は、従来のランドセルにはない、本発明のセパレート式ランドセル本体２２とセパレート式ランドセル蓋３２が分離したセパレート式ランドセルである。
多点ＬＥＤ６１、防水シート７とスイッチ８とボタン電池９は、図１と同じである。脱着用凹型ボタン４２をセパレート式ランドセル本体２２に、脱着用凸型ボタン４１をセパレート式ランドセル蓋３２に縫い込み固定している。
【００１６】図３は本発明のホットスタンプ等の印をつけたセパレート式ランドセルの構成で、（ａ）はセパレート式ランドセルの蓋、（ｂ）はベルト部にＬＥＤを設けたセパレート式ランドセル本体を示す。
セパレート式ランドセル本体２２の右ベルト５１と左ベルト５２に、ＬＥＤを設けている。ＬＥＤを一個のみ用いた一点式ＬＥＤ６２を、ボタン電池用蓋１１とボタン電池９を２個とスイッチ８を基板の中に半田で固定された一体型の基板に組み込んでいる。この実施例ではＬＥＤを一個のみ用いた一点式ＬＥＤ６２としているが、ボタン電池９の容量の消耗を防ぐために、同基板内にあらゆる回路の組み替えにより、ＬＥＤを連動して光続けることも、点滅させることもでき、同じＬＥＤで色を替えることも出来る。この一点式ＬＥＤ６２は、ボタン電池２個で点滅発光時でも２４時間×約３０日間使用可能である。又電池交換も簡単に出来る。
【００１７】又、セパレート式ランドセル本体２２の上がフリーであるので、今まで入らなかった比較的長い小物を入れる事も出来る。本発明のランドセルは、ランドセルカバーを付けていても光を通すのでよく見える。もっと良く見せる為に、光る部分のみカバー部を抜き取ることも可能である。又雨の日の防水を、ＬＥＤやボタン電池やスイッチを透明軟質性の樹脂によりカバーすることで実現している。
【００１８】一体式ランドセルは、中高学年になると必要性が少なくなる為に、小学生のときに新しい一体式ランドセルに買い換え購入することは考えにくい。しかしセパレートタイプにすることにより、セパレート式ランドセル蓋３２のみの購入で済む。
【００１９】図４は、本発明のランドセルのベルトにＬＥＤを設けた一体式ランドセルの構成で、（ａ）は一体式ランドセルの構成、（ｂ）はランドセルの蓋の裏面のボタン電池の収容構成を示す。
一体式ランドセル本体２１の右ベルト５１と左ベルト５２に一点式ＬＥＤ６２を設けた一体式ランドセルである。一体式ランドセル蓋３１とセパレート式ランドセル蓋３２の表面と裏面の間の内部空間にスイッチ８とボタン電池９を縫い込んでいる。ボタン電池９を交換するために設けられたボタン電池用蓋１１の電池蓋用凸型ボタン４３を外し、上に開き薄型電池ケースに入れられたボタン電池９を左右に押し出すことにより取り出し、新しいボタン電池９を中に取り付けることが出来る。取り付け後は電池用凸型ボタン４３に凹型ボタン４４を合わせることによりボタン電池９の交換ができる。又ボタン電池の交換を無くする為に、携帯電話などに使われる薄型バッテリーをランドセルの蓋に縫込み、家庭用電源１００ボルトを使用し充電式にしてもよい。
【産業上の利用可能性】
【００２０】小学生が、車両又は歩行者からの交通事故の被害を防ぐ安全性が高く、ファッション性に優れたランドセルを提供する。
【符号の説明】
【００２１】１    ランドセル
２    ランドセル本体
２１  一体式ランドセル本体
２２  セパレート式ランドセル本体
３    ランドセル蓋
３１  一体式ランドセル蓋
３２  セパレート式ランドセル蓋
４    取付ボタン
４１  脱着用凸型ボタン
４２  脱着用凹型ボタン
４３  電池蓋用凸ボタン
４４  電池蓋用凹ボタン
５    ベルト
５１  右ベルト
５２  左ベルト
６    ＬＥＤ
６１  多点ＬＥＤ
６２  一点式ＬＥＤ
７    防水シート
８    スイッチ
９    ボタン電池
１０  印
１１  ボタン電池用蓋
【図１】
0003166140.tif 000003
【図２】
0003166140.tif 000004
【図３】
0003166140.tif 000005
【図４】
0003166140.tif 000006
【手続補正書】
【提出日】平成22年11月12日(2010.11.12)
【手続補正１】
【補正対象書類名】実用新案登録請求の範囲
【補正対象項目名】全文
【補正方法】変更
【補正の内容】
【実用新案登録請求の範囲】
【請求項１】
複数のＬＥＤを横長に一直線状に配置した多点ＬＥＤ６１を、ランドセル１のランドセル蓋３に表側から見えるように埋め込み、ランドセル蓋３に裏側からボタン電池９と、その電源をオンオフするスイッチ８を埋め込み、小学生の登下校時、スイッチをオンし、多点ＬＥＤ６１を点灯することにより、全車両又歩行者の目に付き、事故を防ぐようにしたことを特徴とするランドセル。
【請求項２】
前記多点ＬＥＤ６１を厚み０．３ｍｍの軟質プラスチックを袋状にした防水シートの中に入れ、一体式ランドセル蓋３１に埋め込み縫い合わせたこと特徴とする請求項１に記載のランドセル。
【請求項３】
ランドセル１の右ベルト５１又は左ベルト５２に、一個のＬＥＤによる一点式ＬＥＤ６２を取り付けたことを特徴とする請求項１記載のランドセル。
【請求項４】
脱着用凹型ボタン４２をセパレート式ランドセル本体２２に、脱着凸型ボタン４１をセパレート式ランドセル蓋３２に取り付け、セパレート式ランドセル蓋３２とセパレート式ランドセル本体２２とを脱着可能とし、セパレート式ランドセルの蓋３２には、表側から複数のＬＥＤを模様になるようにデザインして配置して多点ＬＥＤ６１を埋め込み、裏側からボタン電池９を取り外しができ、スイッチ８のオンオフができるようにボタン電池９とスイッチ８を埋め込み、セパレート式ランドセル蓋３２を取り替えることにより、複数のＬＥＤの模様のデザインを選択できるようにしたことを特徴とするランドセル。